【手続補正書】
【提出日】平成16年9月21日(2004.9.21)
【手続補正１】
【補正対象書類名】明細書
【補正対象項目名】全文
【補正方法】変更
【補正の内容】
【書類名】      明細書
【発明の名称】マッサージ機
【特許請求の範囲】
【請求項１】  施療内容や施療コースや他の施療情報といった各種施療条件の入力及び実行中の施療条件の変更入力をすることができる入力部と、入力部に入力された施療条件及びその変更内容を記憶するメモリ部と、メモリ部に記憶された施療条件及びその変更内容に基づいて施療を行わせる演算処理部とを具備したマッサージ機において、前記入力部を、複数の使用者毎に区別して施療条件及びその変更内容の入力を行うための使用者入力キーを備えたものとし、前記メモリ部を、使用者毎に区別して施療条件及びその変更内容を記憶するものとしたことを特徴とするマッサージ機。
【請求項２】  他の施療情報が、使用者の体型情報であることを特徴とする請求項１記載のマッサージ機。
【請求項３】  他の施療情報が、リクライニング角度情報であることを特徴とする請求項１又は２記載のマッサージ機。
【請求項４】  使用者入力キーに代えて、音声により使用者を区別する音声認識部を備えたことを特徴とする請求項１〜３のいずれか記載のマッサージ機。
【発明の詳細な説明】
【０００１】
【発明の属する技術分野】
本発明は、使用者が施療条件の変更情報を記憶させておくことの可能なマッサージ機に関する。
【０００２】
【従来の技術】
従来から、施療内容や施療コースや他の施療情報といった各種施療条件を使用者にあわせて変更することができ、更に、使用の度に施療条件を変更する必要がないように変更内容を記憶させておくことのできるマッサージ機が提案されている（特許文献１参照）。しかしながら、上記した従来のマッサージ機は、これら変更内容を一組しか記憶させておくことができず、例えば家庭内において複数の使用者で共用しようとする場合には、個人の好みにあわせた施療を行おうとすればその度に施療条件を変更する必要があり、作業が非常に面倒臭いものであった。
【０００３】
【特許文献１】
特開平７−３２３０６６号公報
【０００４】
【発明が解決しようとする課題】
本発明は上記の点に鑑みてなされたものであり、面倒な作業を要することなく複数の使用者毎に適切な施療を行うことのできるマッサージ機を提供することを課題とするもので
ある。
【０００５】
【課題を解決するための手段】
上記課題を解決するために本発明として、施療内容や施療コースや他の施療情報といった各種施療条件の入力及び実行中の施療条件の変更入力をすることができる入力部と、入力部に入力された施療条件及びその変更内容を記憶するメモリ部と、メモリ部に記憶された施療条件及びその変更内容に基づいて施療を行わせる演算処理部とを具備したマッサージ機において、前記入力部を、複数の使用者毎に区別して施療条件及びその変更内容の入力を行うための使用者入力キーを備えたものとし、前記メモリ部を、使用者毎に区別して施療条件及びその変更内容を記憶するものとする。このようにすることで、使用者毎に区別して記憶させた各種施療条件及びその変更内容に基づく施療を行うことができ、１台のマッサージ機を複数の使用者で使用する場合であっても、使用者入力キーを押して最初に使用者を区別させておけば面倒な作業を要することなく各個人の好みにあわせた施療を行うことができるものである。
【０００６】
また、前記した他の施療情報が使用者の体型情報であることも好ましく、この場合には、使用する度に肩位置等の体型情報を入力するといった面倒な作業を要さずに、各個人の体型に適した施療を行うことができるものである。
【０００７】
また、前記した他の施療情報がリクライニング角度情報であることも好ましく、この場合には、使用する度にリクライニング角度を調節すると言った面倒な作業を要さずに、各個人の好みの姿勢で施療を行うことができるものである。
【０００８】
また、使用者入力キーに代えて、音声により使用者を区別する音声認識部を備えたものとしてもよい。このようにすることで、キーの数等によって区別可能な使用者の数を制限されることがなく、より多くの使用者が個人にあわせた変更内容で施療を行うことが可能になり、また、声を発するだけで使用者を区別してもらえるので面倒なキー操作を行う必要がないものである。
【０００９】
【発明の実施の形態】
以下、本発明を添付図面に示す実施の形態に基づいて説明する。図２は、本発明の実施の形態における一例のマッサージ機の概略ブロック図であるが、図示のように、本例のマッサージ機は、使用者が電源のオンオフや各種の施療条件（施療内容や施療コースや他の施療情報）の入力を行う入力部１と、使用者に対して施療を行う施療部２と、使用者の入力部１への入力情報に基づいて施療部２の駆動を制御する制御部３とを具備したものである。
【００１０】
入力部１は、制御部３に接続されるコントローラ４から成り、図１に示すように、電源のオンオフを指示する為の入／切キー５や、複数の施療コース（本例の場合はコースＡ、コースＢ、コースＣ）から一つを選択する為の施療コース入力キー６や、実行中の施療動作の繰り返しを指示する為の繰り返し入力キー７や、電源のオンオフや施療コース等の施療情報を表示する表示部８を備えている。そして、これら各種キー類に加えて、入力部１には、複数の使用者（本例の場合は使用者Ａ、使用者Ｂ、使用者Ｃ）の中から一人を選択する為の使用者入力キー９を備えている。この使用者入力キー９が本例の使用者区別手段であり、使用者Ａ、Ｂ、Ｃのうちいずれか一人を選択したうえで施療条件及び実行中の施療条件の変更を入力すると、その施療条件及び変更内容を使用者毎に区別して後述のメモリ部１２に記憶させるようになっている。
【００１１】
制御部３には、ＲＡＭ１０及びＥＥＰＲＯＭ１１から成り入力部１に入力された各種の施療条件及びその変更内容を記憶するメモリ部１２を備えており、ＭＰＵ１３から成る演算処理部１４が、メモリ部１２に記憶された施療条件及びその変更内容に基づいて次回以降の施療を施療部２に行わせるようになっている。
【００１２】
本例のマッサージ機を用いて施療を行うには、まず入力部１の入／切キー５を押してマッサージ機を起動させ、次に、使用者入力キー９を押して例えば使用者Ａを選択する。次に、施療コース入力キー６を押して例えばコースＢを選択すると、施療コースＢに予め設定されている通りの順番で多様な施療動作が実行され、この施療中に繰り返し入力キー７を押すと施療コースＢ内の実行中であった施療動作を繰り返し、繰り返したことをメモリ
部１２のＲＡＭ１０に記憶する。最後に入／切キー５を押すと施療動作は終了するが、この時に変更した内容（この場合は施療コースＢ内の施療動作の繰り返し回数の変更内容）はＲＡＭ１０からＥＥＰＲＯＭ１１に書き込まれる。なお、上記のようなマッサージ機の施療動作の制御は制御部３内の演算処理部１４にて行われるものである。
【００１３】
次に、同一使用者が再度施療を行うには、マッサージ機を起動させた後に使用者入力キー９を押して使用者Ａを選択すればよい。これにより、ＥＥＰＲＯＭ１１から前回の変更内容が読み出され、演算処理部１４はこの変更内容に基づいて変更した施療コースＢ通りの施療動作を施療部２に行わせる。また、他の使用者が施療を行う場合は、使用者入力キー９を押して他の使用者（使用者Ｂ又は使用者Ｃ）を選択することで、施療条件及びその変更内容を使用者Ａとは区別して入力し且つメモリ部１２に記憶させるとともに、次回の使用では使用者Ａとは区別してその施療条件及び変更内容を読み出すことができるので、複数の使用者のそれぞれに適した施療が容易な作業で実現されるものである。また、同様の構成により、使用者の区別に加えて、各使用者の施療コース毎に更に区別して変更内容を入力及び記憶させるようにしてもよい。
【００１４】
上記したように本例においては、施療コース内の任意の施療動作の繰り返し回数が、使用者毎に区別して入力及び記憶される変更内容となっているが、これに限らず、施療コース内の任意の施療動作の施療位置、手技の種類、強さ、速度等の他の変更内容や、また、施療コースに依らず行われる施療内容や、施療を行うための他の施療情報（施療コースや施療内容以外）といった他の施療条件が、使用者毎に区別して入力及び記憶されるものであっても構わない。
【００１５】
次に、本発明の実施の形態における他例のマッサージ機について説明するが、他例においては、使用者毎に区別して入力及び記憶される変更内容に、施療コースや施療内容以外の他の施療情報である使用者の体型情報を加えている点が一例との主要な相違点であるので、この相違点についてのみ以下に詳しく述べる。
【００１６】
図３に示すように、他例の入力部１には肩位置調節キー１５を設けており、手動操作で使用者毎に肩位置を上下させることが可能になっている。しかして、使用者入力キー９にて使用者を選択した後に肩位置調節キー１５を操作して上下移動により肩位置を変更すれば、この入力された肩位置の変更情報は使用者毎に区別してメモリ部１２に記憶され、次回以降は使用者入力キー９にて使用者を選択するだけで当該使用者の肩位置の変更情報が読み出されて使用者の体型に適した施療が行われるものである。なお、上記のように本例においては手動操作による肩位置変更手段を用いているが、圧力センサ等を用いた自動の肩位置変更手段を用いても構わない。また、使用者毎に区別して入力及び記憶される体型情報は肩位置情報に限定されるものではなく、圧力センサ等を用いて体型ライン等の他の体型情報を使用者毎に区別して入力及び記憶させるようにしても構わない。
【００１７】
次に、本発明の実施の形態における更に他例のマッサージ機について説明するが、更に他例においては、使用者毎に区別して入力及び記憶される変更内容に、施療コースや施療内容以外の他の施療情報であるリクライニング角度情報を加えている点が一例や他例との主要な相違点であるので、この相違点について以下に詳しく述べる。
【００１８】
図４や図５に示すように、更に他例の入力部１にはリクライニング部１７を操作するためのリクライニング調節キー１６を設けており、手動で使用者毎にリクライニング角度を調節することが可能となっている。しかして、使用者入力キー９にて使用者を選択した後にリクライニング調節キー１６を操作してリクライニング角度を変更すれば、この際のリクライニング角度の変更情報は使用者毎に区別してメモリ部１２に記憶され、次回以降は使用者入力キー９にて使用者を選択するだけで当該使用者のリクライニング角度の変更情報が読み出され、使用者の好みの体勢で施療が行われるものである。なお、マッサージ機の起動時点で所定のリクライニング角度になるまで自動的にリクライニング部１７を動作させるようにしてもよく、この場合、リクライニング調節キー１６は微調整用として用いられる。
【００１９】
次に、本発明の実施の形態における別例のマッサージ機について説明する。別例のマッサージ機においては図６や図７に示すように、入力部１として、マイク１９と音声処理部
２０とから成る音声認識部２１を備えている点が、一例や他例との主要な相違点である。音声認識部２１は、マッサージ機に着座状態の使用者の口元近くとなる箇所に配され、マイク１９から入力された音声について、音声処理部２０にて声紋判定及び内容判定を行い、声紋判定により特定される使用者と内容判定により特定される入力内容とを制御部３の演算処理部１４に伝達するものである。つまり、別例においては、音声認識部２１が、音声により使用者を区別する使用者区別手段となっている。
【００２０】
しかして、マッサージ機に着座した使用者がマイク１９に向かって例えば「開始」の言葉を発すれば、音声認識部２１にて使用者の特定と施療動作を開始するという入力内容の特定が為され、これら特定内容を伝達された演算処理部１４が施療部２を駆動して施療動作を開始する。また、同様の仕組みにより、施療コース中に例えば「繰り返し」の言葉を発すれば実行中の施療動作を繰り返すように施療コースを変更するとともに、この変更情報を使用者毎に区別してメモリ部１２に記憶させ、その後、例えば「終了」の言葉を発すればこれを受けて施療動作を終了する。そして、次回以降は、同一使用者がマイク１９に向かって「開始」の言葉を発するだけで音声認識部１９にて同一使用者であると特定し、メモリ部１２に記憶した当該使用者の変更情報を読み出して前回と同じ条件にて施療を行うものである。
【００２１】
別例のマッサージ機においては、上記のような音声による使用者区別手段を用いることで、区別可能な使用者の数がキーの数等により制限されず多数の使用者を区別することができ、更に、入力の際に手を動かす必要がないために操作が容易であるという利点がある。
【００２２】
【発明の効果】
上記のように請求項１記載の発明にあっては、１台のマッサージ機を複数の使用者で使用する場合であっても、使用者毎に区別して記憶させた各種施療条件及びその変更内容に基づいてそれぞれ施療を行うことができ、使用者入力キーを押して最初に使用者を区別させておくだけの簡単な作業で各個人の好みにあわせた施療を行うことができるという効果がある。
【００２３】
また、請求項２記載の発明にあっては、請求項１記載の発明の効果に加えて、使用する度に肩位置等の体型情報を入力するといった面倒な作業を要さずに、各個人の体型に適した施療を行うことができるという効果がある。
【００２４】
また、請求項３記載の発明にあっては、請求項１又は２記載の発明の効果に加えて、使用する度にリクライニング角度を調節すると言った面倒な作業を要さずに、各個人の好みの姿勢で施療を行うことができるという効果がある。
【００２５】
また、請求項４記載の発明にあっては、請求項１〜３のいずれか記載の発明の効果に加えて、キーの数等によって区別可能な使用者の数を制限されることがなく、より多くの使用者が各個人にあわせた変更内容で施療を行うことが可能になるという効果があり、また、声を発するだけで使用者を区別してもらえるので面倒なキー操作を行う必要がないという効果がある。
【図面の簡単な説明】
【図１】
本発明の実施の形態における一例のマッサージ機のコントローラを示す正面図である。
【図２】
同上のマッサージ機の概略ブロック図である。
【図３】
本発明の実施の形態における他例のマッサージ機のコントローラを示す正面図である。
【図４】
本発明の実施の形態における更に他例のマッサージ機のコントローラを示す正面図である。
【図５】
同上のマッサージ機の概略ブロック図である。
【図６】
本発明の実施の形態における別例のマッサージ機の全体斜視図である。
【図７】
同上のマッサージ機の概略ブロック図である。
【符号の説明】
１  入力部
９  使用者入力キー
１２  メモリ部
１４  演算処理部
１５  肩位置調節キー
１６  リクライニング調節キー
２１  音声認識部
【手続補正２】
【補正対象書類名】明細書
【補正対象項目名】図６
【補正方法】変更
【補正の内容】
【図６】
2004321336.tif 000001
【手続補正３】
【補正対象書類名】明細書
【補正対象項目名】図７
【補正方法】変更
【補正の内容】
【図７】
2004321336.tif 000002
【手続補正４】
【補正対象書類名】明細書
【補正対象項目名】図８
【補正方法】削除
【補正の内容】